(57)【要約】【課題】サイドレールを、本来の差込支持側の向きから、裏返した状態での差込支持を機構的に不可能とし、以てサイドレールとボードの間や、左右に並べて差込支持した一対のサイドレールの間に、身体が挟まれる危険性がある隙間を生じないようにする。【解決手段】本発明では、サイドレール７の下側に一対の支持棒体８を突設すると共に、ベッド１側に上記支持棒体を差し込んで支持する一対の差込口１０を有する差込支持部９を設け、一対の支持棒体は外周の断面形状を同径の円形状とした構成において、サイドレールの支持棒体間と、対応する差込口間の個所に逆差し防止手段（１２，１３）を設けたことを特徴とするベッドの差込式サイドレール装置における逆差し防止機構を提案する。【選択図】図１
2010068967.tif 000002
【特許請求の範囲】
【請求項１】
サイドレールの下側に一対の支持棒体を突設すると共に、ベッド側に上記支持棒体を差し込んで支持する一対の差込口を有する差込支持部を設け、一対の支持棒体は外周の断面形状を同径の円形状とした構成において、サイドレールの支持棒体間と、対応する差込口間の個所に逆差し防止手段を設けたことを特徴とするベッドの差込式サイドレール装置における逆差し防止機構。
【請求項２】
逆差し防止手段は、サイドレールの支持棒体間の偏倚した位置に設けた凸部と、この凸部に対応して差込支持部の差込口間に設けた受入部とから構成することを特徴とする請求項１に記載のベッドの差込式サイドレール装置における逆差し防止機構。
【請求項３】
逆差し防止手段は、差込支持部の差込口間の偏倚した位置に設けた凸部と、この凸部に対応してサイドレールの支持棒体間に設けた受入部とから構成することを特徴とする請求項１に記載のベッドの差込式サイドレール装置における逆差し防止機構。
【請求項４】
逆差し防止手段は、サイドレールの支持棒体のいずれかの外側に付設した凸部と、この凸部に対応して差込支持部の対応する差込口の外側に設けた受入部とから構成することを特徴とする請求項１に記載のベッドの差込式サイドレール装置における逆差し防止機構。
【請求項５】
受入部は、凹部により構成することを特徴とする請求項２〜４のいずれか１項に記載のベッドの差込式サイドレール装置における逆差し防止機構。
【請求項６】
受入部は、段部により構成することを特徴とする請求項３に記載のベッドの差込式サイドレール装置における逆差し防止機構。
【請求項７】
受入部は、差込支持部の端部の切欠部により構成することを特徴とする請求項４に記載のベッドの差込式サイドレール装置における逆差し防止機構。
【請求項８】
サイドレールの下側に、一対の支持棒体を突設すると共に、ベッド側に上記支持棒体を差し込んで支持する一対の差込口を有する差込支持部を設け、一対の支持棒体は外周の断面形状を同径の円形状とした構成において、支持棒体のいずれかと、対応する差込口に逆差し防止手段を設けたことを特徴とするベッドの差込式サイドレール装置における逆差し防止機構。
【請求項９】
逆差し防止手段は、支持棒体の外周の一部に形成された凸部と、この凸部に対応して差込口の内周の一部に形成された凹部とから構成することを特徴とする請求項８に記載のベッドの差込式サイドレール装置における逆差し防止機構。
【請求項１０】
逆差し防止手段は、支持棒体の外周の一部に形成された凹部と、この凹部に対応して差込口の内周の一部に形成された凸部とから構成することを特徴とする請求項８に記載のベッドの差込式サイドレール装置における逆差し防止機構。
【請求項１１】
逆差し防止手段は、支持棒体の外周の一部に形成された凸部及び凹部と、この凸部及び凹部に対応して差込口の内周の一部に形成された凸部及び凹部とから構成することを特徴とする請求項８に記載のベッドの差込式サイドレール装置における逆差し防止機構。
【請求項１２】
逆差し防止手段は、短く形成された一方側の支持棒体と、それに対応して差込支持長が短く形成された差込口とから構成することを特徴とする請求項８に記載のベッドの差込式サイドレール装置における逆差し防止機構。
【請求項１３】
差込口にスペーサーを差し込むことにより差込支持長を短く形成することを特徴とする請求項１２に記載のベッドの差込式サイドレール装置における逆差し防止機構。
【請求項１４】
サイドレールの下側に、一対の支持棒体を突設すると共に、ベッド側に上記支持棒体を差し込んで支持する一対の差込口を有する差込支持部を設けた構成において、一対の支持棒体は外周の断面形状を異ならせた構成とし、夫々の支持棒体に対応して差込支持部の差込口の夫々の内周の断面形状を、相互に包含されない異なった形状に構成することを特徴とするベッドの差込式サイドレール装置における逆差し防止機構。
【請求項１５】
サイドレールの下側に一対の支持棒体を突設すると共に、ベッド側に上記支持棒体を差し込んで支持する一対の差込口を有する差込支持部を設けた構成において、本来の差込支持側においてベッドのボード側に位置するサイドレールの一端部から外側横方向に第１のガイド棒を突設して、その先端に、ボードの外側に回り込ませる鉤状部を形成すると共に、サイドレールの他端部から外側横方向に第２のガイド棒を突設して、その端部に、ベッドから離れる方向に向かう鉤状部を形成したことを特徴とするベッドの差込式サイドレール装置における逆差し防止機構。
【発明の詳細な説明】
【技術分野】
【０００１】
本発明は、ベッドの差込式サイドレール装置において、サイドレールを、本来の差込支持側の向きから、裏返した状態において差し込んで支持することを不可能とするための逆差し防止機構に関するものである。
【背景技術】
【０００２】
医療施設や在宅看護の場で使用するベッドのサイドレールとしては各種方式のものが従来から提供されているが、このうち、サイドレールの下側に支持棒体を突設し、この支持棒体をベッド側に設けた差込支持部に差し込んで支持する方式の差込式サイドレールは、構成が複雑でなく、扱いやすいため、広く使用されている。
【０００３】
このような差込式サイドレールでは、一般に、その周辺等に隙間が生じるため、ベッド使用者の身体能力によっては、隙間に身体の一部が挟まれてしまうことがあり、特に、サイドレールとヘッドボードとの間に生じる隙間は、頭側に存在するため重大事故につながる恐れが高い。
【０００４】
このため、サイドレールにおいては、安全に使用できるようにするために、各部の寸法等が規格、例えばＩＥＣ規格により規定されている。即ち、現行のＩＥＣ規格においては、例えばサイドレールが格子状に構成されている場合のように閉空間を有する場合には、その空間の寸法は、使用者の頭が入らないようにするために１２０ｍｍ以下とするように規定される。また、サイドレールの端部とヘッドボードやフットボードとの隙間又はサイドレールの端部間の隙間等のように、隙間により開いた空間部がある場合には、この隙間の寸法は、使用者の首が入らないようにするために６０ｍｍ以下とするか、又は頭が引っ掛からないようにするために２３５ｍｍ以上とするように規定されている。尚、これらの寸法は、ＩＥＣ規格の改定案では、例えばサイドレール間とサイドレールとボード間について、６０ｍｍ未満または３１８ｍｍよりも大きい、と規定される。
【０００５】
ところで、一般に、差込式サイドレールの一対の支持棒体は丸パイプ等で構成され、外周の断面形状を同径の円形状とした構成であるため、本来の差込支持側の向きから、裏返した状態においても差込支持を行うことができてしまい、即ち、逆差しが可能である。
【０００６】
しかしながら、図を参照して後述するように、近来の差込式サイドレールは、左右非対称の形状としたものが多いので、本来の差込支持側では上述した危険な隙間が生じないのに、逆差しをすることによって危険な隙間を生じてしまうことが多い。そして差込式サイドレールは、抜き差しを比較的頻繁に行うものであるので、うっかりと逆差しをしてしまう危険性も高い。
【０００７】
従来、抜き差しを行う装置において逆差しを防止するための機構として、例えば特許文献１では交換機や伝送機等に使用するインタフェースケーブル用コネクタ等のコネクタにおける逆差し防止機構が、また特許文献２においては、ＩＣカード等のカード用のコネクタにおける逆差し防止機構が提案されている。
【特許文献１】特開２００１−２９７８２８号公報
【特許文献２】特開２００４−６３０９３号公報
【発明の開示】
【発明が解決しようとする課題】
【０００８】
従来の差込式サイドレールでは、逆差し防止機構を設けておらず、その代わり逆差しを防止するために、取扱説明書や警告ラベル等により注意喚起を行っているが、その効果には限界があった。
【０００９】
本発明はこのような点に鑑みて創案されたもので、まず、サイドレールを、本来の差込支持側の向きから、裏返した状態での差込支持を、上述した特許文献に記載された逆差し防止機構と同様に機構的に不可能とし、以てサイドレールとボードの間や、左右に並べて差込支持した一対のサイドレールの間に、身体が挟まれる危険性がある隙間を生じないようにすることを目的の一つとするものである。
【００１０】
また本発明では、新しい型式のベッド用の差込式サイドレールと、旧型式のベッド用差込式サイドレールの互換性を規制し、旧型式のベッド用の差込式サイドレールを新型式のベッドには使用できないようにしたり、又は相互の使用ができないようにすることによって上述した危険な隙間が生じるのを防止することを他の目的とするものである。
【課題を解決するための手段】
【００１１】
上述した課題を解決するために、本発明では、まず、サイドレールの下側に一対の支持棒体を突設すると共に、ベッド側に上記支持棒体を差し込んで支持する一対の差込口を有する差込支持部を設け、一対の支持棒体は外周の断面形状を同径の円形状とした構成において、サイドレールの支持棒体間と、対応する差込口間の個所に逆差し防止手段を設けたベッドの差込式サイドレール装置における逆差し防止機構を提案する。
【００１２】
また本発明では、上記の構成において、逆差し防止手段は、サイドレールの支持棒体間の偏倚した位置に設けた凸部と、この凸部に対応して差込支持部の差込口間に設けた受入部とから構成することを提案する。
【００１３】
また本発明では、上記の構成において、逆差し防止手段は、差込支持部の差込口間の偏倚した位置に設けた凸部と、この凸部に対応してサイドレールの支持棒体間に設けた受入部とから構成することを提案する。
【００１４】
また本発明では、上記の構成において、逆差し防止手段は、サイドレールの支持棒体のいずれかの外側に付設した凸部と、この凸部に対応して差込支持部の対応する差込口の外側に設けた受入部とから構成することを提案する。
【００１５】
そして本発明では、以上の構成において、受入部は、凹部により構成すること、又は段部により構成すること、又は差込支持部の端部の切欠部により構成することを提案する。
【００１６】
次に本発明では、サイドレールの下側に、一対の支持棒体を突設すると共に、ベッド側に上記支持棒体を差し込んで支持する一対の差込口を有する差込支持部を設け、一対の支持棒体は外周の断面形状を同径の円形状とした構成において、支持棒体のいずれかと、対応する差込口に逆差し防止手段を設けたベッドの差込式サイドレール装置における逆差し防止機構を提案する。
【００１７】
また本発明では、上記の構成において、逆差し防止手段は、支持棒体の外周の一部に形成された凸部と、この凸部に対応して差込口の内周の一部に形成された凹部とから構成するか、又は支持棒体の外周の一部に形成された凹部と、この凹部に対応して差込口の内周の一部に形成された凸部とから構成するか、又は支持棒体の外周の一部に形成された凸部及び凹部と、この凸部及び凹部に対応して差込口の内周の一部に形成された凸部及び凹部とから構成することを提案する。
【００１８】
また本発明では、上記の構成において、逆差し防止手段は、短く形成された一方側の支持棒体と、それに対応して差込支持長が短く形成された差込口とから構成することを提案する。またこの構成において、差込口にスペーサーを差し込むことにより差込支持長を短く形成することを提案する。
【００１９】
次に本発明では、サイドレールの下側に、一対の支持棒体を突設すると共に、ベッド側に上記支持棒体を差し込んで支持する一対の差込口を有する差込支持部を設けた構成において、一対の支持棒体は外周の断面形状を異ならせた構成とし、夫々の支持棒体に対応して差込支持部の差込口の夫々の内周の断面形状を、相互に包含されない異なった形状に構成するベッドの差込式サイドレール装置における逆差し防止機構を提案する。
【００２０】
次に本発明では、サイドレールの下側に一対の支持棒体を突設すると共に、ベッド側に上記支持棒体を差し込んで支持する一対の差込口を有する差込支持部を設けた構成において、本来の差込支持側においてベッドのボード側に位置するサイドレールの一端部から外側に第１のガイド棒を突設して、その先端に、ボードの外側に回り込ませる鉤状部を形成すると共に、サイドレールの他端部から外側に第２のガイド棒を突設して、その端部に、ベッドから離れる方向に向かう鉤状部を形成したベッドの差込式サイドレール装置における逆差し防止機構を提案する。
【発明の効果】
【００２１】
サイドレールの支持棒体間と、対応する差込口間の個所に、サイドレールの支持棒体間の偏倚した位置に設けた凸部と、この凸部に対応して差込支持部の差込口間に設けた受入部とから構成する逆差し防止手段、又は差込支持部の差込口間の偏倚した位置に設けた凸部と、この凸部に対応してサイドレールの支持棒体間に設けた受入部とから構成する逆差し防止手段、又はサイドレールの支持棒体のいずれかの外側に付設した凸部と、この凸部に対応して差込支持部の対応する差込口の外側に設けた受入部とから構成する逆差し防止手段を設けた逆差し防止機構では、サイドレールが本来の差込支持側に向いている場合には、凸部と受入部が対応するため何らの制限を受けることなく差込支持を行うことができる。しかしながら本来の差込支持側の向きから裏返した状態では、凸部と受入部が対応せず、凸部により正常な差込が阻害されるため、操作者はサイドレールが逆側であることを認識することができ、こうして逆差しを防止することができる。
【００２２】
一対の支持棒体は外周の断面形状を同径の円形状とした構成において、支持棒体のいずれかと、対応する差込口に、支持棒体の外周の一部に形成された凸部と、この凸部に対応して差込口の内周の一部に形成された凹部とから構成する逆差し防止手段、又は支持棒体の外周の一部に形成された凹部と、この凹部に対応して差込口の内周の一部に形成された凸部とから構成する逆差し防止手段、又は支持棒体の外周の一部に形成された凸部及び凹部と、この凸部及び凹部に対応して差込口の内周の一部に形成された凸部及び凹部とから構成する逆差し防止手段、又は短く形成された一方側の支持棒体と、それに対応して差込支持長が短く形成された差込口とから構成する逆差し防止手段を設けた逆差し防止機構では、サイドレールが本来の差込支持側に向いている場合には、逆差し防止手段が設けられている一方側の支持棒体が、逆差し防止手段が設けられている差込口に対応するため、いずれの側の支持棒体も、対応する差込口に正常に差し込まれ、何らの制限を受けることなく差込支持を行うことができる。しかしながら本来の差込支持側の向きから裏返した状態では、逆差し防止手段が設けられている一方側の支持棒体と、逆差し防止手段が設けられている差込口が対応しないため、少なくとも一方側の支持棒体が差込口に正常に差し込まれず、これによって操作者はサイドレールが逆側であることを認識することができ、こうして逆差しを防止することができる。
【００２３】
次に、一対の支持棒体は外周の断面形状を異ならせた構成とし、夫々の支持棒体に対応して差込支持部の差込口の夫々の内周の断面形状を、相互に包含されない異なった形状に構成した逆差し防止機構では、サイドレールが本来の差込支持側に向いている場合にのみ、夫々の支持棒体が、対応する差込口に差し込まれるため、何らの制限を受けることなく差込支持を行うことができる。しかしながら本来の差込支持側の向きから裏返した状態では、支持棒体と差込口の断面形状が合わず、包含されることもないため正常な差込が阻害され、これによって操作者はサイドレールが逆側であることを認識することができ、こうして逆差しを防止することができる。
【００２４】
一対の支持棒体は外周の断面形状を同径の円形状とし、支持棒体のいずれかと、対応する差込口に、逆差し防止手段を設けた逆差し防止機構において、支持棒体の外周の一部に形成された凹部と、この凹部に対応して差込口の内周の一部に形成された凸部を逆差し防止手段の要素としたものや、短く形成された一方側の支持棒体と、それに対応して差込支持長が短く形成された差込口を逆差し防止手段の要素としたものでは、これらの支持棒を、内周の一部に凸部が形成されていない差込口や、差込支持長を短くしていない差込口にも差し込むことができるが、外周の一部に凹部が形成されていない支持棒体を、内周の一部に凸部が形成された差込口に差し込むことや、差込支持長が短く形成された差込口に短く形成されていない支持棒体を正常に差し込むことができない。
【００２５】
従って、このような逆差し防止機構では、本発明を適用した新型のベッド用の、より安全な構成のサイドレールを旧型のベッドに差込支持して使用することができるが、旧型のベッド用のサイドレールを新型のベッドには使用できない、いわゆる後方互換性を持たせることができる。
【００２６】
一方、一対の支持棒体は外周の断面形状を同径の円形状とし、支持棒体のいずれかと、対応する差込口に、逆差し防止手段を設けた逆差し防止機構において、支持棒体の外周の一部に形成された凸部及び凹部と、この凸部及び凹部に対応して差込口の内周の一部に形成された凸部及び凹部を逆差し防止手段の要素としたものや、一対の支持棒体は外周の断面形状を異ならせた構成とし、夫々の支持棒体に対応して差込支持部の差込口の夫々の内周の断面形状を、相互に包含されない異なった形状に構成した逆差し防止機構では、本発明を適用した新型のベッド用のサイドレールを旧型のベッドに差込支持することもできない。従って、この場合には、新型のベッドに旧型のベッド用のサイドレールを使用することによる安全性の低下を防止できると共に、本発明に係る新型のサイドレールを、本来、使用を想定している新型のベッドのみに使用できるようにすることにより、本来の安全性を確実に発揮することができる。
【００２７】
本来の差込支持側にベッドのボード側に位置するサイドレールの一端部から外側に第１のガイド棒を突設して、その先端に、ボードの外側に回り込ませる鉤状部を形成すると共に、サイドレールの他端部から外側に第２のガイド棒を突設して、その端部に、ベッドから離れる方向に向かう鉤状部を形成した逆差し防止機構では、サイドレールを本来の差込支持位置又は本来の差込支持側の向きから裏返した状態では、第１のガイド棒の鉤状部又は第２のガイド棒の鉤状部が邪魔となって支持棒体を差込支持部の差込口まで移動させることができないため、これによって操作者はサイドレールが逆側であることを認識することができ、こうして逆差しと、別の位置に支持してしまうことを防止することができる。
【発明を実施するための最良の形態】
【００２８】
次に本発明のベッドの差込式サイドレール装置における逆差し防止機構の実施の形態を添付図面を参照して説明する。
まず図１〜図４は本発明を適用した差込式サイドレール装置における逆差し防止機構の第１の実施の形態の構成及び動作を示すものであり、また図５、図６は本発明を適用しない場合の動作を対比して示すための説明図である。
図１〜図４において、符号１はベッド、２は基部フレーム、３は基部フレーム２上に昇降可能に支持されたボトム支持フレーム、４は複数の部分に分割されて起伏可能にボトム支持フレーム３に支持されたボトム、５はヘッドボード、６はフットボードである。
【００２９】
符号７ｈ，７ｆは夫々ベッド１のヘッドボード５側、フットボード６側に支持されるサイドレールであり、これらのサイドレール７ｈ，７ｆは下側に一対の支持棒体８ａ，８ｂを突設している。符号９はボトム支持フレーム３に支持された付属品受けであり、これらの付属品受け９には、上記一対の支持棒体８ａ，８ｂを差し込んで支持する一対の差込口１０ａ，１０ｂを設けた差込支持部を構成している。このように第１の実施の形態では、差込支持部を付属品受け９に構成しているが、周知のようにボトム支持フレーム３自体に設けることもできる。以下、差込支持部と付属品受けを同様に符号９で示す。
【００３０】
これらのサイドレール７ｈ，７ｆは、本体の形状が支持棒体８ａ，８ｂに対して非対称に構成されている。即ち、この実施の形態では、ヘッドボード５側のサイドレール７ｈの本体は、左右端とも夫々の側の支持棒体８ａ，８ｂよりも外側に突出するように配置されているが、左端の突出長は右端の突出長よりも短く構成されている。またフットボード６側のサイドレール７ｆの本体は、右端が右側の支持棒体８ｂよりも外側に突出するように配置されているが、左端は左側の支持棒体８ａよりも右側に位置するように配置されている。
【００３１】
これらのサイドレール７ｈ，７ｆは図３又は図５に示すように、本来の使用時にそれらのボード側の端部がヘッドボード５、フットボード６に近接して、それらの間の隙間Ｌ2が非常に狭くなるように設計されており、またサイドレール７ｈ，７ｆ間の隙間は上述したＩＥＣ規格で規定される寸法である、例えば469mmとなるように設計されている。
【００３２】
そこで、これらのサイドレール７ｈ，７ｆを、操作者が誤って裏返した状態において差し込んで支持してしまう場合を考えると、まず、ヘッドボード５側のサイドレール７ｈでは、裏返した状態の左端がヘッドボード５よりも外側に大きく突出してしまうので、操作者が表裏を誤ることはない。しかしながらフットボード６側のサイドレール７ｆでは、裏返して支持した状態は、ヘッドボード５側のサイドレール７ｈとの隙間Ｌ1’が狭くなると共にフットボード６との隙間Ｌ2’が広くなった状態であるので、この状態はうっかりと本来の支持状態として誤る可能性があり、この支持状態では、隙間Ｌ1’が安全な寸法よりも狭くなると共に、隙間Ｌ2’が安全な寸法よりも広く、例えば60mm以上で318mm以下となってしまう危険性がある。
【００３３】
そこで本発明のこの実施の形態では、図１〜図４に示すように、表裏側を誤る可能性があるフットボード６側のサイドレール７ｆの支持棒体８ａ，８ｂ間の左右側に偏倚した位置、この場合、サイドレール７ｆの下部横桟部材１１の、右側の支持棒体８ｂ側寄りの個所から下方に凸片１２を突出させている。そして、この凸片１２の位置に対応して差込支持部９の差込口１０ａ，１０ｂ間の、差込口１０ｂ寄りの個所に、凸片１２を差込可能な差込口１３を設けている。従って、この凸片１２が上述した凸部に相当し、差込口１３が上述した受入部に相当する。
【００３４】
このような構成では、図１に示すようにサイドレール７ｆが本来の差込支持側に向いている場合には、支持棒体８ａ，８ｂが差込口１０ａ，１０ｂに対応すると共に、凸片１２と差込口１３が対応するため、何らの制限を受けることなく図２に示すようにサイドレール７ｆの支持棒体８ａ，８ｂを差込支持部９の差込口１０ａ，１０ｂに差込んで支持を行うことができる。
【００３５】
しかしながら本来の差込支持側の向きから裏返した状態では、図４に示すように凸片１２と差込口１３が対応せず、凸片１２が差込支持部９の上面に当接して正常な差込が阻害されるため、操作者はサイドレール７ｆが表裏側に逆であることを認識することができ、こうして逆差しを防止することができる。
【００３６】
以上に説明した第１の実施の形態は、フットボード６側のサイドレール７ｆに関して説明しているが、第１の実施の形態をヘッドボード５側のサイドレール７ｈにも適用できることは勿論である。またサイドレール７ｆの本体の構成も、図で示すような格子フレーム状でなく、板状又はそれらの組み合わせにより構成したものでも良い。
【００３７】
次に図７〜図９は、本発明を適用した差込式サイドレール装置における逆差し防止機構の第２の実施の形態の構成及び動作を示すものである。
この第２の実施の形態では、第１の実施の形態と同様に、サイドレール７ｆの本体は、右端が右側の支持棒体８ｂよりも外側に突出するように配置されているが、左端は左側の支持棒体８ａよりも右側に位置するように配置されており、また支持棒体８ａ，８ｂを差し込んで支持する一対の差込口１０ａ，１０ｂを設けた差込支持部９を付属品受けに構成している。このように第１の実施の形態の構成要素に対応する構成要素には、同一の符号を付している。
【００３８】
この第２の実施の形態では、差込支持部９の差込口１０ａ，１０ｂ間の偏倚した位置、即ち１０ｂ寄りの上面に突起１４を設けており、またサイドレール７ｆの下部横桟部材１１には段部１５を設けて、下部横桟部材１１において段部１５の図中右側は、上方に凹んでいるような形状としている。従って、差込支持部９に設けた突起１４が上述した凸部に相当し、段部１５により凹んだ下部横桟部材１１の個所が上述した受入部に相当する。
【００３９】
このような構成では、図７に示すようにサイドレール７ｆが本来の差込支持側に向いている場合には、支持棒体８ａ，８ｂが差込口１０ａ，１０ｂに対応すると共に、差込支持部９の突起１４と、下部横桟部材１１の段部１５により凹んだ個所が対応するため、何らの制限を受けることなく図８に示すようにサイドレール７ｆの支持棒体８ａ，８ｂを差込支持部９の差込口１０ａ，１０ｂに差込んで支持を行うことができる。
【００４０】
しかしながら本来の差込支持側の向きから裏返した状態では、図９に示すように突起１４と下部横桟部材１１の凹んだ個所が対応せず、突起１４がサイドレール７ｆの下部横桟部材１１に当接して正常な差込が阻害されるため、操作者はサイドレール７ｆが表裏側に逆であることを認識することができ、こうして逆差しを防止することができる。
【００４１】
以上に説明した第２の実施の形態は、フットボード６側のサイドレール７ｆに関して説明しているが、第１の実施の形態と同様にヘッドボード５側のサイドレール７ｈにも適用できることは勿論である。またサイドレール７ｆの本体の構成も、図で示すような格子フレーム状でなく、板状又はそれらの組み合わせにより構成したものでも良い。また受入部は、段部１５により凹んだ下部横桟部材１１の個所として構成する他、突起１４に対応した個所のみを凹部とするように構成することができる。
【００４２】
次に図１０、図１１は、本発明を適用した差込式サイドレール装置における逆差し防止機構の第３の実施の形態の構成及び動作を示すものである。
この第３の実施の形態では、第１の実施の形態と同様に、サイドレール７ｆの本体は、右端が右側の支持棒体８ｂよりも外側に突出するように配置されているが、左端は左側の支持棒体８ａよりも右側に位置するように配置されており、また支持棒体８ａ，８ｂを差し込んで支持する一対の差込口１０ａ，１０ｂを設けた差込支持部９を付属品受けに構成している。このように第１の実施の形態の構成要素に対応する構成要素には、同一の符号を付している。
【００４３】
この第３の実施の形態では、図中左側の支持棒体８ａの外側に、先端を垂下させた鉤状の凸片１６を設けており、この凸片１６に対応して差込支持部９の左端側を切り欠いて切欠部１７を構成している。従って、凸片１６が上述した凸部に相当し、差込支持部９の左端側の切欠部１７が上述した受入部に相当する。
【００４４】
このような構成では、図１０に示すようにサイドレール７ｆが本来の差込支持側に向いている場合には、支持棒体８ａ，８ｂが差込口１０ａ，１０ｂに対応すると共に、支持棒体８ａの外側に突設した凸片１６が、差込支持部９の切欠部１７の外側に対応するため、サイドレール７ｆは、何らの制限を受けることなく図１１に示すように、支持棒体８ａ，８ｂを差込支持部９の差込口１０ａ，１０ｂに差込んで支持を行うことができる。
【００４５】
しかしながら本来の差込支持側の向きから裏返した状態では、図示は省略しているが、支持棒体８ａの外側に突設した凸片１６が、差込支持部９の図中右側の上面個所に対応するため、凸片１６が差込支持部９の上面に当接して正常な差込が阻害されるため、操作者はサイドレール７ｆが表裏側に逆であることを認識することができ、こうして逆差しを防止することができる。
【００４６】
以上に説明した第３の実施の形態もフットボード６側のサイドレール７ｆに関して説明しているが、第１の実施の形態と同様にヘッドボード５側のサイドレール７ｈにも適用できることは勿論である。またサイドレール７ｆの本体の構成も、図で示すような格子フレーム状でなく、板状又はそれらの組み合わせにより構成したものでも良い。
【００４７】
次に図１２は本発明を適用した差込式サイドレール装置における逆差し防止機構の第４の実施の形態の構成を示すものである。
この第４の実施の形態では、第１の実施の形態と同様に、サイドレール７ｆの本体は、右端が右側の支持棒体８ｂよりも外側に突出するように配置されているが、左端は左側の支持棒体８ａよりも右側に位置するように配置されており、また支持棒体８ａ，８ｂを差し込んで支持する一対の差込口１０ａ，１０ｂを設けた差込支持部９を付属品受けに構成している。このように第１の実施の形態の構成要素に対応する構成要素には、同一の符号を付している。
【００４８】
一対の支持棒体８ａ，８ｂは外周の断面形状を同径の円形状としているため、図１３に示すように支持棒体８ａ，８ｂ自体は差込口１０ａ，１０ｂのいずれにも差込支持可能である。そこで、この第４の実施の形態では、いずれか一方側、この場合、図中右側の支持棒体８ｂの外周の一部に凸部１８を設けると共に、この凸部１８に対応して差込支持部９の差込口１０ｂの内周の一部に凹部１９を設けている。従ってこれらの凸部１８と凹部１９が上述した逆差し防止手段を構成している。
【００４９】
この構成では、図１２に示すようにサイドレール７ｆが本来の差込支持側に向いている場合には、支持棒体８ａ，８ｂが差込口１０ａ，１０ｂに対応すると共に、支持棒体８ｂの外側に設けた凸部１８が、差込口１０ｂに設けた凹部１９に対応するため、サイドレール７ｆは、何らの制限を受けることなく、それらの支持棒体８ａ，８ｂを差込支持部９の差込口１０ａ，１０ｂに差込んで支持を行うことができる。
【００５０】
しかしながら本来の差込支持側の向きから裏返した状態では、図示は省略しているが、外周の一部に凸部１８を設けた支持棒体８ｂが、凹部１９を設けていない差込口１０ａに対応するため、凸部１８が差込口１０ａの上面に当接して正常な差込が阻害されるため、操作者はサイドレール７ｆが表裏側に逆であることを認識することができ、こうして逆差しを防止することができる。
【００５１】
以上に説明した第４の実施の形態もフットボード６側のサイドレール７ｆに関して説明しているが、第１の実施の形態と同様にヘッドボード５側のサイドレール７ｈにも適用できることは勿論である。またサイドレール７ｆの本体の構成も、図で示すような格子フレーム状でなく、板状又はそれらの組み合わせにより構成したものでも良い。
【００５２】
次に図１４は本発明を適用した差込式サイドレール装置における逆差し防止機構の第５の実施の形態の構成及び動作を示すもので、この図１４では、一対の支持棒体８ａ，８ｂと差込口１０ａ，１０ｂを設けた差込支持部９のみを模式的に示している。
この第５の実施の形態では、支持棒体８ａは外周の断面形状を円形とし、これに対応して差込口１０ａの内周の断面形状を円形としているが、他方側の支持棒体８ｂでは、断面形状が、基本的には支持棒体８ａと同径の円形であるが、外周の一部を平面状に切り欠いて凹部２０を形成しており、これに対応して差込口１０ｂの内周の一部は円周上の位置から半径方向に平面状に突出させて凸部１９を形成している。
【００５３】
この構成では、サイドレールが本来の差込支持側に向いている場合には、図１４に示すように支持棒体８ａ，８ｂが差込口１０ａ，１０ｂに対応するので、支持棒体８ｂに凹部２０、差込口１０ｂに凸部１９が形成されていても、何らの制限を受けることなく、支持棒体８ａ，８ｂを差込支持部９の差込口１０ａ，１０ｂに差込んでサイドレールの支持を行うことができる。
【００５４】
しかしながら本来の差込支持側の向きから裏返した状態では、図示は省略しているが、凸部１９を形成している差込口１０ｂに、凹部２０を形成していない支持棒体８ａが対応して、支持棒体８ａの差込口１０ｂへの正常な差込が阻害されるため、操作者はサイドレール７ｆが表裏側に逆であることを認識することができ、こうして逆差しを防止することができる。
【００５５】
次に図１５は本発明を適用した差込式サイドレール装置における逆差し防止機構の第６の実施の形態の構成及び動作を示すもので、この図１５では、図１４と同様に一対の支持棒体８ａ，８ｂと差込口１０ａ，１０ｂを設けた差込支持部９のみを模式的に示している。
この第６の実施の形態は、第５の実施の形態と比較して、支持棒体８ｂに形成した凹部２０と、差込口１０ｂに形成した凸部１９の形状が異なり、これらの形状を断面三角形状としているのみで、その他は同様であり、その動作は自明であるため動作の説明は省略する。このように凹部２０と凸部１９の形状は適宜である。
【００５６】
以上の第５の実施の形態と第６の実施の形態においては、上述したとおり、凸部１９を形成している差込口１０ｂに、凹部２０を形成していない支持棒体８ａを差込むことはできないが、逆に、凹部２０を形成している支持棒体８ｂを、凸部１９を形成していない差込口１０ａに差し込むことはできる。
【００５７】
そのため本発明を適用した新型のベッド用の、より安全な構成のサイドレールを旧型のベッドに差込支持して使用することができるが、旧型のベッド用のサイドレールを新型のベッドには使用できない、いわゆる後方互換性を持たせることができる。
【００５８】
次に図１６は本発明を適用した差込式サイドレール装置における逆差し防止機構の第７の実施の形態の構成及び動作を示すもので、この図１６では、図１４と同様に一対の支持棒体８ａ，８ｂと差込口１０ａ，１０ｂを設けた差込支持部９のみを模式的に示している。
この第７の実施の形態では、一対の支持棒体８ａ，８ｂは外周の断面形状を異ならせた構成とし、その際、夫々の支持棒体８ａ，８ｂに対応して差込支持部９の差込口１０ａ，１０ｂの夫々の内周の断面形状を、相互に包含されない異なった形状に構成したものである。即ち、この実施の形態は、具体的には、支持棒体８ｂは、外周の断面形状が、支持棒体８ａの外径よりも大きな円形の一部を平面状に切り欠いて凹部２０を形成し、これに対応して差込口１０ｂの内周の一部は、差込口１０ａの内径よりも大きな内径の円周上の位置から半径方向に平面状に突出させて凸部１９を形成し、これにより差込支持部９の差込口１０ａ，１０ｂの夫々の内周の断面形状を、一対の支持棒体８ａ，８ｂの異なった断面形状に対応して、相互に包含されない異なった形状に構成したものである。
【００５９】
このような構成においては、本来の差込支持側の向きでは、図１６に示すように一対の支持棒体８ａ，８ｂの夫々を、対応する差込口１０ａ，１０ｂに円滑に差し込んでサイドレールを支持することができるが、本来の差込支持側の向きから裏返した状態では、図示は省略しているが、一対の支持棒体８ａ，８ｂのいずれもが、逆側の差込口１０ｂ，１０ａに差込むことができないので、操作者はサイドレールが表裏側に逆であることを認識することができ、こうして逆差しを防止することができる。
【００６０】
次に図１７は本発明を適用した差込式サイドレール装置における逆差し防止機構の第８の実施の形態の構成及び動作を示すもので、この図１７では、図１６と同様に一対の支持棒体８ａ，８ｂと差込口１０ａ，１０ｂを設けた差込支持部９のみを模式的に示している。
この第８の実施の形態では、一方側の支持棒体８ｂの外周の一部に第６の実施の形態と同様に凹部２０を形成すると共に、凸部２２も形成しており、差込口１０ｂには、これらの凹部２０及び凸部２２に対応して、内周の一部に第６の実施の形態と同様に凸部１９を形成すると共に、凹部２１を形成したものである。
【００６１】
この第８の実施の形態においても本来の差込支持側の向きでは、図１７に示すように一対の支持棒体８ａ，８ｂの夫々を、対応する差込口１０ａ，１０ｂに円滑に差し込んでサイドレールを支持することができるが、本来の差込支持側の向きから裏返した状態では、図示は省略しているが、一対の支持棒体８ａ，８ｂのいずれもが、逆側の差込口１０ｂ，１０ａに差込むことができないので、操作者はサイドレールが表裏側に逆であることを認識することができ、こうして逆差しを防止することができる。
【００６２】
以上の第７の実施の形態と第８の実施の形態においては、上述したとおり、本来の差込支持側の向きから裏返した状態では、支持棒体８ｂを逆側の差込口１０ａに差し込むことも、支持棒体８ａを逆側の差込口１０ｂに差し込むこともできない。従って上述したように逆差しが防止できることは勿論のこと、新型のベッドに旧型のベッド用のサイドレールを使用することによる安全性の低下を防止できると共に、本発明に係る新型のサイドレールを、本来、使用を想定している新型のベッドのみに使用できるようにすることにより、本来の安全性を確実に発揮することができる。
【００６３】
次に図１８〜図２０は、本発明を適用した差込式サイドレール装置における逆差し防止機構の第９の実施の形態の構成及び動作を示すものである。
この第９の実施の形態では、第１の実施の形態と同様に、サイドレール７ｆの本体は、右端が右側の支持棒体８ｂよりも外側に突出するように配置されているが、左端は左側の支持棒体８ａよりも右側に位置するように配置されており、また支持棒体８ａ，８ｂを差し込んで支持する一対の差込口１０ａ，１０ｂを設けた差込支持部９を付属品受けに構成している。このように第１の実施の形態の構成要素に対応する構成要素には、同一の符号を付している。
【００６４】
即ち、この第９の実施の形態では、一方側の支持棒体８ａは他方側の支持棒体８ｂよりも短く形成されており、この短い支持棒体８ｂに対応して、差込口１０ａは、スペーサー２３を挿入することにより、その差込支持長を短く形成している。
【００６５】
このような構成では、図１８に示すようにサイドレール７ｆが本来の差込支持側に向いている場合には、図１９に示すように、支持棒体８ａ，８ｂを差込口１０ａ，１０ｂに正常に差し込むことができ、こうしてサイドレール７ｆの正常な支持を行うことができる。
【００６６】
しかしながら本来の差込支持側の向きから裏返した状態では、図２０に示すように、長さを短く形成していない支持棒体８ｂが、スペーサー２３により差込支持長を短くした差込口１０ａに対応するので、支持棒体８ｂはスペーサー２３に閊えて正常な差込が行えない。従って操作者はサイドレール７ｆが表裏側に逆であることを認識することができ、こうして逆差しを防止することができる。
【００６７】
以上に説明した第９の実施の形態もフットボード６側のサイドレール７ｆに関して説明しているが、第１の実施の形態と同様にヘッドボード５側のサイドレール７ｈにも適用できることは勿論である。またサイドレール７ｆの本体の構成も、図で示すような格子フレーム状でなく、板状又はそれらの組み合わせにより構成したものでも良い。また差込口１０ａは、短く形成した支持棒体８ａに対応するように差込支持長を短くすれば良いので、スペーサー２３を用いずに、予め浅く形成しても良い。
【００６８】
次に図２１〜図２７は、本発明を適用した差込式サイドレール装置における逆差し防止機構の第１０の実施の形態の構成及び動作を示すものである。
この第１０の実施の形態では、第１の実施の形態と同様に、サイドレール７ｆの本体は、右端が右側の支持棒体８ｂよりも外側に突出するように配置されているが、左端は左側の支持棒体８ａよりも右側に位置するように配置されており、また支持棒体８ａ，８ｂを差し込んで支持する一対の差込口１０ａ，１０ｂを設けた差込支持部９を付属品受けに構成している。このように第１の実施の形態の構成要素に対応する構成要素には、同一の符号を付している。
【００６９】
この第１０の実施の形態では、本来の差込支持側においてベッド１のボード、即ちヘッドボード５又はフットボード６側に位置するサイドレール７（７ｈ，７ｆ）の一端部から外側に第１のガイド棒２４を突設して、その先端に、ボード５、６の外側に回り込ませる鉤状部２５を形成すると共に、サイドレール７の他端部から外側に第２のガイド棒２６を突設して、その端部に、ベッド１から離れる方向に向かう鉤状部２７を形成したものである。尚、この実施の形態では第２のガイド棒２６は下部横桟部材１１を兼用している。
【００７０】
図２５に示すように、この実施の形態では、サイドレール７をベッド１のヘッドボード５側の両側及びフットボード６側の両側に対応させるために、上述した鉤状部２５、２７の突出方向を逆とした２タイプのものを構成している。即ち、図２５において、対角線上に配置されたサイドレール７は同タイプとして構成している。
【００７１】
以上の構成において、夫々のサイドレール７は、本来の差込支持側に向いた状態では、図２６に示すように、いずれもが円滑に、一対の支持棒体８ａ，８ｂを対応する差込支持部９の差込口１０ａ，１０ｂに差し込んで支持することができるが、図２７に示すように、本来の向きから、図中２点鎖線ｕで示すように、サイドレール７を裏返した状態で対応する差込支持部９に差し込もうとすると、第２のガイド棒２６に突設した鉤状部２７がボトム支持フレーム３に閊えてしまうため、支持棒体８ｂ，８ａを差込口１０ａ，１０ｂに差し込むことが全くできない。
【００７２】
更に図２６の２点鎖線ｖ，ｗで示すように、図中、右下側の本来の差込支持部９ではない左下側の差込支持部９に、本来の差込支持側と同じ向きで、又は裏返して差し込もうとしても、第１のガイド棒２４に突設した鉤状部２５や第２のガイド棒２６に突設した鉤状部２７がボトム支持フレーム３に閊えてしまうため、支持棒体８ａ，８ｂを差込口１０ａ，１０ｂに差し込むことが全くできない。
【００７３】
従ってこれによって操作者はサイドレールが逆側であることを認識することができ、こうして逆差しと、別の位置に支持してしまうことを防止することができる。
【産業上の利用可能性】
【００７４】
本発明は以上の通りであるので、サイドレールを、本来の差込支持側の向きから、裏返した状態での差込支持を機構的に不可能としているので、操作者は意識をすることなく、常時本来の差込支持側で使用することができる。こうして、サイドレールとボードの間や、左右に並べて差込支持した一対のサイドレールの間に、身体が挟まれる危険性がある隙間を生じないようにすることを、簡単な機構で実現することができ、特別な機構を必要としないため、差込式サイドレールの使い勝手の良さを減じない等、産業上の利用可能性が大なる差込式サイドレールにおける逆差し防止機構を提供することができる。
【図面の簡単な説明】
【００７５】
【図１】本発明の差込式サイドレール装置における逆差し防止機構の第１の実施の形態を概念的に示す斜視図である。
【図２】本発明の差込式サイドレール装置における逆差し防止機構の第１の実施の形態を使用前の状態において概念的に示す側面図である。
【図３】本発明の差込式サイドレール装置における逆差し防止機構の第１の実施の形態を使用状態において概念的に示す側面図である。
【図４】本発明の差込式サイドレール装置における逆差し防止機構の第１の実施の形態を誤った操作において概念的に示す側面図である。
【図５】本発明の差込式サイドレール装置における逆差し防止機構を適用していない場合における使用状態を示す側面図である。
【図６】本発明の差込式サイドレール装置における逆差し防止機構を適用していない場合における誤った使用状態を示す側面図である。
【図７】本発明の差込式サイドレール装置における逆差し防止機構の第２の実施の形態を概念的に示す要部側面図である。
【図８】本発明の差込式サイドレール装置における逆差し防止機構の第２の実施の形態を使用状態において概念的に示す要部側面図である。
【図９】本発明の差込式サイドレール装置における逆差し防止機構の第２の実施の形態を誤った操作状態において概念的に示す要部側面図である。
【図１０】本発明の差込式サイドレール装置における逆差し防止機構の第３の実施の形態を概念的に示す要部斜視図である。
【図１１】本発明の差込式サイドレール装置における逆差し防止機構の第３の実施の形態を使用状態において概念的に示す要部側面図である。
【図１２】本発明の差込式サイドレール装置における逆差し防止機構の第４の実施の形態を概念的に示す要部斜視図である。
【図１３】本発明の差込式サイドレール装置における逆差し防止機構を適用していない場合における使用状態を示す要部説明的断面図である。
【図１４】本発明の差込式サイドレール装置における逆差し防止機構の第５の実施の形態における使用状態を示す要部説明的断面図である。
【図１５】本発明の差込式サイドレール装置における逆差し防止機構の第６の実施の形態における使用状態を示す要部説明的断面図である。
【図１６】本発明の差込式サイドレール装置における逆差し防止機構の第７の実施の形態における使用状態を示す要部説明的断面図である。
【図１７】本発明の差込式サイドレール装置における逆差し防止機構の第８の実施の形態における使用状態を示す要部説明的断面図である。
【図１８】本発明の差込式サイドレール装置における逆差し防止機構の第９の実施の形態を概念的に示す要部側面図である。
【図１９】本発明の差込式サイドレール装置における逆差し防止機構の第９の実施の形態を使用状態において概念的に示す要部側面図である。
【図２０】本発明の差込式サイドレール装置における逆差し防止機構の第９の実施の形態を誤った操作状態において概念的に示す要部側面図である。
【図２１】本発明の差込式サイドレール装置における逆差し防止機構の第１０の実施の形態のサイドレールを示す斜視図である。
【図２２】本発明の差込式サイドレール装置における逆差し防止機構の第１０の実施の形態のサイドレールを示す平面図である。
【図２３】本発明の差込式サイドレール装置における逆差し防止機構の第１０の実施の形態のサイドレールを示す側面図である。
【図２４】本発明の差込式サイドレール装置における逆差し防止機構の第１０の実施の形態を適用するベッドの平面図である。
【図２５】本発明の差込式サイドレール装置における逆差し防止機構の第１０の実施の形態を適用する前の状態を示すベッドの平面図である。
【図２６】本発明の差込式サイドレール装置における逆差し防止機構の第１０の実施の形態を使用状態において示すベッドの平面図である。
【図２７】本発明の差込式サイドレール装置における逆差し防止機構の第１０の実施の形態を誤操作状態において示すベッドの平面図である。
【符号の説明】
【００７６】
１                    ベッド
２                    基部フレーム
３                    ボトム支持フレーム
４                    ボトム
５                    ヘッドボード
６                    フットボード
７ｈ，７ｆ            サイドレール
８ａ，８ｂ            支持棒体
９                    付属品受け（差込支持部）
１０ａ，１０ｂ        差込口
１１                  下部横桟部材
１２                  凸片
１３                  差込口
１４                  突起
１５                  段部
１６                  凸片
１７、１９、２２      凸部
１８、２０、２１      凹部
２３                  スペーサー
２４                  第１のガイド棒
２５、２７            鉤状部
２６                  第２のガイド棒
【図１】
2010068967.tif 000003
【図２】
2010068967.tif 000004
【図３】
2010068967.tif 000005
【図４】
2010068967.tif 000006
【図５】
2010068967.tif 000007
【図６】
2010068967.tif 000008
【図７】
2010068967.tif 000009
【図８】
2010068967.tif 000010
【図９】
2010068967.tif 000011
【図１０】
2010068967.tif 000012
【図１１】
2010068967.tif 000013
【図１２】
2010068967.tif 000014
【図１３】
2010068967.tif 000015
【図１４】
2010068967.tif 000016
【図１５】
2010068967.tif 000017
【図１６】
2010068967.tif 000018
【図１７】
2010068967.tif 000019
【図１８】
2010068967.tif 000020
【図１９】
2010068967.tif 000021
【図２０】
2010068967.tif 000022
【図２１】
2010068967.tif 000023
【図２２】
2010068967.tif 000024
【図２３】
2010068967.tif 000025
【図２４】
2010068967.tif 000026
【図２５】
2010068967.tif 000027
【図２６】
2010068967.tif 000028
【図２７】
2010068967.tif 000029